(57)【特許請求の範囲】
【請求項１】
箱体の前面、後面、及び左右側面の少なくとも何れか一面に換気口が開設されているとともに、対向して設けられる一対の側板部、側板部の上端縁間を閉塞する天板部、及び側板部の外縁間を閉塞する外板部を有するフードが、前記換気口の外側を覆うように取り付けられた電気機器収納用箱体であって、
両前記側板部に、前記箱体の取付面とは非接触で下方へ延びる延設部を設け、前記延設部の先端間を含め、前記側板部の下縁間を閉塞する一方、前記延設部における前記箱体の取付面と対向する箇所に、外気と連通する開放部を設けており、
前記箱体内の空気を、前記換気口及び前記開放部を介して換気可能としたことを特徴とする電気機器収納用箱体。
【発明の詳細な説明】
【技術分野】
【０００１】
本発明は、たとえば電気機器を収納するためのキャビネット等といった電気機器収納用箱体に関するものである。
【背景技術】
【０００２】
従来、分電盤等に使用する電気機器収納用箱体に、箱体内部の空気を換気するための換気口を設けることがある。この換気口は、電気機器収納用箱体の周面（前面、背面、及び左右両側面）に設けられることが多い。しかしながら、ただ換気口を設けただけでは防水性に課題を抱えることになるため、換気口を覆うようにフードを取り付けたものも考案されている。たとえば、特許文献１に記載のフードでは、フードの下面を開放して、フードの下面側から吸排気されるように構成することで、雨水等がフード内に浸入しづらく、ひいては換気口を介して電気機器収納用箱体の内部へ浸入しづらくなるようにしている。
【先行技術文献】
【特許文献】
【０００３】
【特許文献１】特開２００３−１５２３７３号公報
【発明の概要】
【発明が解決しようとする課題】
【０００４】
しかしながら、フードの下面側を開放させるのみでは、雨水が跳ね返る等してフード内、ひいては電気機器収納用箱体内へ浸入することがあるため、防水性の更なる向上が求められている。
【０００５】
そこで、本発明は、上記問題に鑑みなされたものであって、防水性が更に向上されており、内部への雨水等の浸入を一層確実に防止することができる電気機器収納用箱体を提供しようとするものである。
【課題を解決するための手段】
【０００６】
上記目的を達成するために、本発明は、箱体の前面、後面、及び左右側面の少なくとも何れか一面に換気口が開設されているとともに、対向して設けられる一対の側板部、側板部の上端縁間を閉塞する天板部、及び側板部の外縁間を閉塞する外板部を有するフードが、前記換気口の外側を覆うように取り付けられた電気機器収納用箱体であって、両前記側板部に、前記箱体の取付面とは非接触で下方へ延びる延設部を設け、前記延設部の先端間を含め、前記側板部の下縁間を閉塞する一方、前記延設部における前記箱体の取付面と対向する箇所に、外気と連通する開放部を設けており、前記箱体内の空気を、前記換気口及び前記開放部を介して換気可能としたことを特徴とする。
【発明の効果】
【０００７】
請求項１に記載の発明によれば、両側板部に、箱体の取付面とは非接触で下方へ延びる延設部を設け、延設部の先端間を含め、側板部の下縁間を閉塞する一方、延設部における箱体の取付面と対向する箇所に、外気と連通する開放部を設けており、箱体内の空気を、換気口及び開放部を介して換気可能としている。そのため、下面に開放部を設けていた従来のものと比較すると、雨水等が開放部を介してフード内へ浸入しづらい。また、たとえフード内へ浸入したところで、フード内への浸入方向が上下方向ではないため、換気口へ到達しにくい。したがって、箱体内部への水の浸入を従来よりも確実に防止することができ、電気機器収納用箱体の防水性を向上することができる。
【図面の簡単な説明】
【０００８】
【図１】箱体を前側から示した説明図である。
【図２】箱体を右側から示した説明図である。
【図３】箱体の内部を前側から示した説明図である。
【図４】図１中のＡ−Ａ線断面を示した説明図である。
【図５】第１フードを示した説明図である。
【図６】第２フードを示した説明図である。
【発明を実施するための形態】
【０００９】
以下、本発明の一実施形態となる電気機器収納用箱体（以下、単に箱体と称す）について、図面にもとづき詳細に説明する。
【００１０】
図１は、箱体１を前側から示した説明図である。図２は、箱体１を右側から示した説明図である。図３は、箱体１の内部を前側から示した説明図である。図４は、図１中のＡ−Ａ線断面を示した説明図である。図５は、第１フード１１を示した説明図である。図６は、第２フード２１を示した説明図である。
【００１１】
箱体１は、一対の側板３、３、天板４、及び底板５を連結して前面及び後面に開口を有する箱本体２と、箱本体２の前側の開口を開閉する前扉６と、後側の開口を開閉する後扉７とを有してなり、箱体１の内部には、たとえば情報通信機器等の各種電気機器を収納可能となっている。そして、前扉６及び後扉７の上部と下部とには、夫々換気口８、９が開設されているとともに、各換気口８、９を外側から覆うように本発明の要部となるフード１１、２１が取り付けられている。なお、１０は、下側の換気口９に取り付けられたフィルターである。
【００１２】
第１フード１１は、金属板を折り曲げる等して形成されるフード本体１２と、フード本体１２に固着される第１保護板１３とを備えてなる。フード本体１２は、左右対向して設けられる一対の側板部１５、１５と、側板部１５、１５の上端縁間を閉塞する天板部１６と、天板部１６の外端縁から下方へ折り曲げられ、側板部１５、１５の外端縁間を閉塞する外板部１７と、外板部１７の下端縁から内側へ折り曲げられる底板部１８とを有する。また、各側板部１５の下部は、外縁側が内縁側よりも下方へ延設された段状に形成されており（すなわち、箱体１の取付面とは非接触で下方へ延びる延設部１５ｂが設けられており）、底板部１８は、延設部１５ｂ、１５ｂの下端縁１５ｆ、１５ｆ間を閉塞している。さらに、各側板部１５の内端縁１５ｃは左右外側へ、天板部１６の内端縁は上側へ夫々鍔状に折り曲げられ、当該鍔状部１５ａ、１６ａに、フード１１を前扉６や後扉７へ取り付けるためのネジ孔１９、１９・・が穿設されている。そして、フード本体１２は、側板部１５、１５の内端縁１５ｃ、１５ｃ間、側板部１５、１５の下端縁１５ｄ、１５ｄ間、及び延設部１５ｂ、１５ｂの内端縁１５ｅ、１５ｅ間の３箇所が開放された箱状に成形されている。
【００１３】
なお、各側板部１５の内端縁１５ｃの上下長さは、換気口８、９の上下長さよりも長くなっている。また、側板部１５、１５間の左右方向での距離は、換気口８、９の左右長さよりも長くなっている。さらに、底板部１８は、外側から内側へ向かって下降傾斜する傾斜面となっている。
【００１４】
一方、第１保護板１３は、左右方向の幅が側板部１５、１５間の距離と略同じで、前後方向へ延びる帯状に形成された金属板の外側を下方へ折り曲げてなるものである。そして、当該第１保護板１３の略水平に寝ている側は、孔等のない平板状に成形されており、第１保護板１３のフード本体１２への固着に伴い、側板部１５、１５の下端縁１５ｄ、１５ｄ間を閉塞する閉塞部１３ａとして機能するようになっている。また、第１保護板１３の略垂直に起立している側は、長孔状に形成された吸排気孔２０が多数穿設されており、第１保護板１３のフード本体１２への固着に伴い、延設部１５ｂ、１５ｂの内端縁１５ｅ、１５ｅ間を開放させて、フード本体１２内と外気とを連通させる開放部１３ｂとして機能するようになっている。なお、折り曲げ箇所から閉塞部１３ａの先端までの長さは、延設部１５ｂの基端箇所から側板部１５の内端縁１５ｃまでの長さと略同じとなっている。また、折り曲げ箇所から開放部１３ｂの先端までの長さは、延設部１３ｂの突出長さと略同じとなっている。
【００１５】
以上のようなフード本体１２と第１保護板１３とからなる第１フード１１は、第１保護板１３の閉塞部１３ａを側板部１５、１５の下端縁１５ｄ、１５ｄ間に、第１保護板１３の開放部１３ｂを延設部１５ｂ、１５ｂの内端縁１５ｅ、１５ｅ間に夫々位置させた状態で、フード本体１２と第１保護板１３とを溶接等して一体化することにより組み立てられる。そして、当該第１フード１１は、延設部１５ｂ、１５ｂが下方へ突出するような姿勢で、鍔状部１５ａ、１６ａを前扉６や後扉７の表面（取付面）に当接させ、上側の換気口８を覆った状態で前扉６や後扉７へネジ止めされる。このとき、開放部１３ｂは、前扉６や後扉７の表面と対向しており、第１フード１１は、従来と異なり、内側（すなわち、箱体１の取付面側）へ向かって開放されている。したがって、箱体１内の空気は、換気口８から第１フード１１のフード本体１２内へ移動した後、開放部１３ｂから外気へ排出されることになる。また、雨水等は、開放部１３ｂが箱体１の取付面側を向いていることもあり、そもそも第１フード１１内へ浸入しづらい上、第１フード１１内へ浸入したところで略垂直に起立している外板部１７の内面にあたることになり、外板部１７及び底板部１８の表面をつたって開放部１３ｂから第１フード１１外へ排出される。なお、５１は、フード本体１２内に設置される換気扇である。
【００１６】
一方、第２フード２１は、第１フード１１と同じフード本体１２と、フード本体１２に固着される第２保護板２３及び遮蔽板２４とを備えてなる。第２保護板２３は、第１保護板１３同様に、左右方向の幅が側板部１５、１５間の距離と略同じで、前後方向へ延びる帯状に形成された金属板の外側を下方へ折り曲げてなるものである。しかしながら、当該第２保護板２３の略水平に寝ている側は、第１保護板１３と異なり、長孔状に形成された吸排気孔２０が多数穿設されており、第２保護板２３のフード本体１２への固着に伴い、側板部１５、１５の下端縁１５ｄ、１５ｄ間を開放させて、フード本体１２内と外気とを連通させる第１開放部２３ａとして機能するようになっている。また、第２保護板２３の略垂直に起立している側にも、同様の吸排気孔２０が多数穿設されており、第２保護板２３のフード本体１２への固着に伴い、延設部１５ｂ、１５ｂの内端縁１５ｅ、１５ｅ間を開放させる第２開放部２３ｂとして機能するようになっている。なお、第２保護板２３の折り曲げ箇所から第１開放部２３ａの先端までの長さは、延設部１５ｂの基端箇所から側板部１５の内端縁１５ｃまでの長さと略同じとなっている。また、折り曲げ箇所から第２開放部２３ｂの先端までの長さは、延設部１５ｂの突出長さと略同じとなっている。
また、遮蔽板２４は、左右方向の幅が側板部１５、１５間の距離と略同じで、前後方向へ延びる帯状に形成された金属板である。
【００１７】
以上のようなフード本体１２と第２保護板２３及び遮蔽板２４とからなる第２フード２１は、第２保護板２３の第１開放部２３ａを側板部１５、１５の下端縁１５ｄ、１５ｄ間に、第２保護板１３の第２開放部２３ｂを延設部１５ｂ、１５ｂの内端縁１５ｅ、１５ｅ間に夫々位置させた状態で、フード本体１２と第１保護板１３とを溶接等して一体化する。また、遮蔽板２４の一端を第２保護板２３の第１開放部２３ａの先端縁に当接させるとともに、遮蔽板２４を内側から外側へむかって（フード本体１２の内方へむかって）上昇傾斜するような姿勢とし、遮蔽板２４により第１開放部２３ａの上方を覆った状態として、遮蔽板２４とフード本体１２及び第２保護板２３とを溶接等して一体化することにより組み立てられる。そして、当該第２フード２１も、第１フード１１同様、延設部１５ｂ、１５ｂが下方へ突出するような姿勢で、鍔状部１５ａ、１６ａを前扉６や後扉７の表面に当接させ、下側の換気口９を覆った状態で前扉６や後扉７へネジ止めされる。このとき、第２フード２１は、第１フード１１と異なり、下側及び内側へ向かって開放されている。したがって、外気は、第１開放部２３ａ及び第２開放部２３ｂからフード本体１２内へ移動した後、換気口９を介して箱体１内へ移動することになる。一方、雨水等は、たとえ第１開放部２３ａから第２フード２１内へ浸入したとしても、第１開放部２３ａの上方を覆っている遮蔽板２４の下面にあたることになり、遮蔽板２４の下面をつたって第１開放部２３ａから第２フード２１外へ排出される。また、第２開放部２３ｂから浸入した水については、第１フード１１同様、略垂直に起立している外板部１７の内面にあたることになり、外板部１７及び底板部１８の表面をつたって第２開放部２３ｂから第２フード２１外へ排出される。
【００１８】
上述したような構成を有する箱体１によれば、フード１１、２１のフード本体１２に、側板部１５の一部を下方へ延ばしてなる延設部１５ｂを設け、当該延設部１５ｂの内端縁１５ｅ、１５ｅ間を開放部１３ｂ、２３ｂとしており、フード１１、２１を箱体１に取り付けた際、箱体１の取付面側へ向かって開放されるようにしている。そのため、下面に開放部を設けていた従来のものと比較すると、雨水等が開放部１３ｂ、２３ｂを介してフード１１、２１内へ浸入しづらい。また、たとえフード１１、２１内へ浸入したところで略垂直に起立している外板部１７の内面にあたることになり、外板部１７及び底板部１８の表面をつたって開放部１３ｂ、２３ｂからフード１１、２１外へ排出される。したがって、箱体１内部への水の浸入を従来よりも確実に防止することができ、防水性の高い箱体１とすることができる。
【００１９】
また、フード本体１２の下面に開放部２３ａを設けたフード２１においては、フード本体１２の内部に、開放部２３ａの上方を覆う遮蔽板２４を設けている。そのため、たとえ第１開放部２３ａからフード２１内へ雨水等が浸入したとしても、遮蔽板２４の下面にあたり、遮蔽板２４の下面をつたって開放部２３ａからフード２１外へ排出される。したがって、フード本体１２の下面側を開放しているにも拘わらず、箱体１内部への水の浸入を従来よりも確実に防止することができ、防水性の高い箱体１とすることができる。
【００２０】
なお、本発明に係る電気機器収納用箱体は、上記実施形態の態様に何ら限定されるものではなく、箱体の全体的な構成は勿論、フードの構成についても、本発明の趣旨を逸脱しない範囲で、必要に応じて適宜変更することができる。
【００２１】
たとえば、上記実施形態では、箱体の前扉と後扉とに換気口を設けているが、後扉のみに換気口を設けてもよいし、側面に換気口を設けてもよく、箱体の前面、後面、及び左右両側面の何れに換気口を設けるかは適宜変更可能である。なお、換気口の開口位置や数についても上記実施形態の位置や数に限定されないことは言うまでもない。
また、上記実施形態では、前扉と後扉との２つの扉を有しているが、前扉のみしか有さない箱体としても何ら問題はない。
さらに、上記実施形態では、第１フード１１と第２フード２１の２種類のフードを取り付けているが、何れか一方のみのフードしか取り付けないとしてもよい。
加えて、第２フード２１に関しては、第１開放部２３ａが設けられてさえいればよく、第２開放部２３ｂを閉塞部として構成することも可能であるし、そもそも側板部１５に延設部１５ｂを設けずに、側板部１５の下端縁間を、底板部１８により一部を残して閉塞するような構成を採用してもよい。
【符号の説明】
【００２２】
１・・電気機器収納用箱体、２・・箱本体、３・・側板、４・・天板、５・・底板、６・・前扉、７・・後扉、８、９・・換気口、１１・・第１フード（フード）、１２・・フード本体、１３・・第１保護板、１３ａ・・閉塞部、１３ｂ・・開放部、１５・・側板部、１５ａ・・鍔状部、１５ｂ・・延設部、１５ｃ・・側板の内端縁、１５ｄ・・下端縁、１５ｅ・・延設部の内端縁、１５ｆ・・延設部の下端縁、１６・・天板部、１６ａ・・鍔状部、１７・・外板部、１８・・底板部、２０・・吸排気口、２１・・第２フード（フード）、２３・・第２保護板、２３ａ・・第１開放部、２３ｂ・・第２開放部、２４・・遮蔽板。
【図１】
0006466750.tif 000002
【図２】
0006466750.tif 000003
【図３】
0006466750.tif 000004
【図４】
0006466750.tif 000005
【図５】
0006466750.tif 000006
【図６】
0006466750.tif 000007